(57)【要約】      （修正有）【課題】ＬＣＤスクリーンを分解する新規な方法および装置を提供する。【解決手段】スクリーン２の正面から、フレームの内縁の四つのセグメントに沿って四つの切り込みがＬＣＤ３内に作成される。それぞれの切り込みはスクリーンの正面全体にわたりＬＣＤを越えて延び、深さの点では切り込みがＬＣＤを完全に貫通するが、冷陰極管は接触せず、そのため冷陰極管を破壊しない。ＬＣＤの切り抜き部が取り除かれる。それぞれのホルダから冷陰極管が取り外され、冷陰極管のガラス管の密閉されたガス充填内部空間を開放することなく冷陰極管が取り出される。【選択図】図４
2013250557.tif 000002
【特許請求の範囲】
【請求項１】
ＬＣＤスクリーン（１）を分解する方法であって、
ＬＣＤ（３）がスクリーン（２）の正面に設けられ、画像を表示するための略長方形の正面（４）と、背面（５）と、を有し、
ＬＣＤスクリーン（１）が、四つの略直線セグメントからなる内縁（７）を有するとともに、ＬＣＤ（３）の正面（４）でＬＣＤ（３）の側縁を覆いＬＣＤ（３）を越えて横方向に延びるフレーム（６）を有し、
スクリーン（２）の正面から観察したとき、ＬＣＤスクリーン（１）が、スクリーンハウジング（９）内に配置された、ＬＣＤ（３）の背面（５）を照明するための背面照明（８）をＬＣＤ（３）の背後に有しており、背面照明（８）は一つまたは複数の冷陰極管（１０）を備え、冷陰極管（１０）は、密閉されたガス充填内部空間を持つガラス管をそれぞれ有し、ＬＣＤ（３）の背後で、またはＬＣＤ（３）の背面（５）に沿って横方向にＬＣＤ（３）に対して隙間を有するように延び、ホルダ（１１）によって軸方向両端で把持されており、
スクリーン（２）の正面から観察したとき、スクリーンハウジング（９）内でＬＣＤ（３）の周りで、フレーム（６）の背後にＬＣＤ（３）の側面に沿ってホルダ（１１）が配置され、
スクリーン（２）の正面から観察したとき、フレーム（６）の内縁（７）の四つのセグメントに沿って四つの切り込み（１３、１３ａ）がＬＣＤ（３）に作成され、切り込み（１３、１３ａ）はそれぞれスクリーン（２）の正面全体にわたりＬＣＤ（３）を越えて延び、深さの点で、切り込み（１３、１３ａ）はＬＣＤ（３）を完全に貫通するが、冷陰極管（１０）には接触せず、したがって冷陰極管（１０）を破壊せず、
ＬＣＤ（３）の切り抜き部が除去され、
冷陰極管（１０）がそれぞれのホルダ（１１）から取り外され、冷陰極管（１０）のガラス管の密閉されたガス充填内部空間を開放することなく冷陰極管が除去される
ことを特徴とする方法。
【請求項２】
それぞれのホルダ（１１）から冷陰極管（１０）を取り外す前に、スクリーン（２）の正面側で冷陰極管（１０）のホルダ（１１）を覆っているフレーム（６）の少なくとも一部が取り除かれるか折り畳まれ、スクリーン（２）の正面から冷陰極管（１０）のホルダ（１１）にアクセスできるようにすることを特徴とする請求項１に記載の方法。
【請求項３】
切り込み（１３、１３ａ）は、ＬＣＤ（３）の背面（５）と背面照明（８）との間に配置される拡散装置（１２）を完全に貫通し、拡散装置（１２）の切り抜き部が除去されることを特徴とする請求項１または２に記載の方法。
【請求項４】
フレーム（６）の領域内、少なくともセグメント内では、ＬＣＤ（３）の領域内よりも切り込み（１３、１３ａ）が深く作成され、スクリーン（２）の正面（４）から観察すると、フレーム（６）の領域内、少なくともセグメント内では切り込み（１３、１３ａ）がＬＣＤスクリーン（１）を貫通することを特徴とする請求項１ないし３のいずれかに記載の方法。
【請求項５】
切り込み（１３、１３ａ）は、深さの点で、ＬＣＤ（３）の領域内でＬＣＤスクリーン（１）を完全には貫通せず、冷陰極管（１０）が配置されているスクリーン（２）の正面と平行な平面の手前で終了し、
ＬＣＤ（３）の切り抜き部の除去後、およびホルダ（１１）からの冷陰極管（１０）の取り外し後に、冷陰極管（１０）のガラス管の密閉されたガス充填内部空間を開放することなく、残りのＬＣＤスクリーン（１）から冷陰極管（１０）が取り出される
ことを特徴とする請求項１ないし４のいずれかに記載の方法。
【請求項６】
冷陰極管（１０）、または冷陰極管（１０）のうち少なくとも一つが、フレーム（６）の内縁（７）の四つのセグメントのうちの一つと平行に延び、このセグメントに隣接するフレーム（６）の部分の下方に配置されており、
このセグメントに沿った切り込み（１３ａ）が、スクリーン（２）の正面全体にわたって、この冷陰極管（１０）と平行にＬＣＤスクリーン（１）の全体を貫通し、これによって、冷陰極管（１０）を破壊することなく冷陰極管（１０）を含むスクリーン（２）の縁が分離され、
冷陰極管（１０）がそれぞれのホルダ（１１）から取り外され、冷陰極管（１０）のガラス管の密閉されたガス充填内部空間を開放することなく、スクリーン（３０）の切断された縁から冷陰極管が取り出される
ことを特徴とする請求項１ないし４のいずれかに記載の方法。
【請求項７】
ＬＣＤスクリーン（１）を分解する方法であって、
ＬＣＤ（３）がスクリーン（２）の正面に設けられ、画像を表示するための略長方形の正面（４）と、背面（５）と、を有し、
ＬＣＤスクリーン（１）が、四つの略直線セグメントからなる内縁（７）を有するとともに、ＬＣＤ（３）の正面（４）でＬＣＤ（３）の側縁を覆いＬＣＤ（３）を越えて横方向に延びるフレーム（６）を有し、
スクリーン（２）の正面から観察したとき、ＬＣＤスクリーン（１）が、スクリーンハウジング（９）内に配置された、ＬＣＤ（３）の背面（５）を照明するための背面照明（８）をＬＣＤ（３）の背後に有しており、背面照明（８）は一つまたは複数の冷陰極管（１０）を備え、冷陰極管（１０）は、密閉されたガス充填内部空間を持つガラス管をそれぞれ有し、ＬＣＤ（３）の背面（５）に沿って横方向に、ＬＣＤ（３）に対して隙間を有するように延び、ホルダ（１１）によって軸方向両端で把持されており、
スクリーン（２）の正面から観察したとき、スクリーンハウジング（９）内でＬＣＤ（３）の周りで、フレーム（６）の背後にＬＣＤ（３）の側面に沿ってホルダ（１１）が配置され、
冷陰極管（１０）、または冷陰極管（１０）の少なくとも一つが、フレーム（６）の内縁（７）の四つのセグメントのうちの一つと平行に延び、このセグメントに隣接するフレーム（６）の部分の下方に配置されており、
スクリーン（２）の正面から観察したとき、フレーム（６）の内縁（７）のこのセグメントに沿って切り込み（１３ａ）がＬＣＤ（３）に作成され、この冷陰極管（１０）と平行なこのセグメントに沿って切り込みが延びスクリーン（２）の正面全体にわたってＬＣＤ（３）を通過し、スクリーン（２）の正面全体を越えてＬＣＤスクリーン（１）の全体を貫通し、これによって、この冷陰極管（１０）を含むスクリーン（２）の縁が、冷陰極管（１０）を破壊することなく分離され、
冷陰極管（１０）がそれぞれのホルダ（１１）から取り外され、冷陰極管（１０）のガラス管の密閉されたガス充填内部空間を開放することなく、スクリーン（２）の切り抜かれた縁から冷陰極管が取り出される
ことを特徴とする方法。
【請求項８】
切断装置（１９）を用いて切り込み（１３、１３ａ）が作成されることを特徴とする請求項１ないし７のいずれかに記載の方法。
【請求項９】
切断装置（１９）は、鋸ディスク、切断ディスク、研削ディスクまたはミリングディスクである回転分離ディスク（１５）を備え、分離ディスク（１５）を略直線状にかつスクリーン（２）の正面に関して平行に移動させて各切り込み（１３、１３ａ）を作成することを特徴とする請求項８に記載の方法。
【請求項１０】
ＬＣＤスクリーン（１）が作業台（１８）上に配置され固定され、
切断装置（１９）と、ＬＣＤスクリーン（１）が固定された作業台（１８）とが互いに対して移動して切り込み（１３、１３ａ）を作成することを特徴とする請求項８または９に記載の方法。
【請求項１１】
作業台（１８）に関する位置と、ＬＣＤスクリーン（１）のフレーム（６）の内縁（７）の四つの略直線セグメントのうち少なくとも一つの長さと、検出された各セグメントの二つの延長部上でのフレーム（６）の幅と、が決定され、このデータを使用して、少なくとも一つの決定されたセグメントに沿って、フレーム（６）の隣接部分を通る少なくとも一つの切り込み（１３、１３ａ）の作成に必要となる、切断装置（１９）の動きが計算され実行されることを特徴とする請求項１０に記載の方法。
【請求項１２】
請求項１ないし１１のいずれかに記載の方法に基づいてＬＣＤスクリーン（１）を分解する装置（１６）であって、
ＬＣＤ（３）がスクリーン（２）の正面に設けられ、画像を表示するための略長方形の正面（４）と、背面（５）と、を有し、
ＬＣＤスクリーン（１）が、四つの略直線セグメントからなる内縁（７）を有するとともに、ＬＣＤ（３）の正面（４）でＬＣＤ（３）の側縁を覆いＬＣＤ（３）を越えて横方向に延びるフレーム（６）を有し、
スクリーン（２）の正面から観察したとき、ＬＣＤスクリーン（１）が、スクリーンハウジング（９）内に配置された、ＬＣＤ（３）の背面（５）を照明するための背面照明（８）をＬＣＤ（３）の背後に有しており、背面照明（８）は一つまたは複数の冷陰極管（１０）を備え、冷陰極管（１０）は、密閉されたガス充填内部空間を持つガラス管をそれぞれ有し、ＬＣＤ（３）の背後で、またはＬＣＤ（３）の背面（５）に沿って横方向にＬＣＤ（３）に対して隙間を有するように延び、ホルダ（１１）によって軸方向両端で把持されており、
当該装置は、フレーム（６）の内縁（７）の一つまたは複数のセグメントに沿って、または四つのセグメント全てに沿って、スクリーン（２）の正面から切断装置（１９）を用いてＬＣＤ（３）内に切り込み（１３、１３ａ）を作成することができるように設計された切断装置（１９）を有し、
切り込み（１３、１３ａ）はそれぞれスクリーン（２）の正面全体にわたりＬＣＤ（３）を越えて延び、深さの点で、切り込み（１３、１３ａ）はＬＣＤ（３）を完全に貫通するが、冷陰極管（１０）には接触せず、したがって冷陰極管（１０）を破壊しない
ことを特徴とする装置。
【請求項１３】
切断装置（１９）を用いて作成可能な切り込み（１３、１３ａ）が、ＬＣＤ（３）の領域内でＬＣＤスクリーン（１）を深さの点で完全には貫通せず、冷陰極管（１０）が配置されているスクリーン（２）の正面（４）と平行な平面の手前で終了するように、切断装置（１９）が設計されていることを特徴とする請求項１２に記載の装置。
【請求項１４】
冷陰極管（１０）、または冷陰極管（１０）のうち少なくとも一つが、フレーム（６）の内縁（７）の四つのセグメントのうちの一つと平行に延び、このセグメントに隣接するフレーム（６）の部分の下方に配置されており、
スクリーン（２）の正面（４）全体にわたってこの冷陰極管（１０）と平行にＬＣＤスクリーン（１）の全体を貫通するように切り込み（１３ａ）がこのセグメントに沿って作成され、これによって、冷陰極管（１０）を破壊することなく、冷陰極管（１０）を含むスクリーン（２）の縁を分離することができる
ことを特徴とする請求項１２に記載の装置。
【請求項１５】
切断装置（１９）は、切り込み深さ（１４）を設定または制御する装置（２１）を有しており、
切断装置（１９）は、鋸ディスク、切断ディスク、研削ディスクまたはミリングディスクである回転分離ディスク（１５）を備え、分離ディスク（１５）が金属、プラスチックおよびガラスを切断するように設計されていることを特徴とする請求項１２ないし１４のいずれかに記載の装置。
【請求項１６】
当該装置が、ＬＣＤスクリーン（１）を位置決めし固定する目的で設計された作業台（１８）を備え、
切断装置（１９）と、ＬＣＤスクリーン（１）が固定された作業台（１８）とが互いに対して移動して切り込み（１３、１３ａ）を作成することを特徴とする請求項１２または１５に記載の装置。
【請求項１７】
検出装置（２２）が設けられ、検出装置を用いて、作業台（１８）に関する位置と、ＬＣＤスクリーン（１）のフレーム（６）の内縁（７）の四つの略直線セグメントのうち少なくとも一つの長さと、検出された各セグメントの二つの延長部上でのフレーム（６）の幅と、が決定され、
オープンループおよび／またはクローズドループ制御ユニット（２３）が設けられ、制御ユニットを用いて、このデータを使用して、少なくとも一つの決定されたセグメントに沿って、フレーム（６）の隣接部分を通る少なくとも一つの切り込み（１３、１３ａ）の作成に必要となる、切断装置（１９）の動きが計算され実行されることを特徴とする請求項１６に記載の装置。
【請求項１８】
除去装置（２５）が設けられ、除去装置を用いて、切断装置（１９）によって切り抜かれたＬＣＤ（３）の部分をＬＣＤスクリーン（１）から除去することができ、
装置（２７）が設けられ、この装置を用いて、スクリーン（２）の正面側で冷陰極管（１０）のホルダ（１１）を覆うフレーム（６）の少なくとも一部を取り除くか折り畳み、スクリーン（２）の正面から冷陰極管（１０）のホルダ（１１）にアクセスできるようにし、
把持装置（２９）が設けられ、把持装置を用いて、それぞれのホルダ（１１）から冷陰極管（１０）を取り外し、冷陰極管（１０）のガラス管の密閉されたガス充填内部空間を開放することなく冷陰極管を取り出すことができ、
供給装置（１７）が設けられ、供給装置を用いて、ＬＣＤスクリーン（１）を切断装置（１９）に自動的に供給することができる
ことを特徴とする請求項１２ないし１７のいずれかに記載の装置。
【発明の詳細な説明】
【技術分野】
【０００１】
本発明は、ＬＣＤスクリーンの分解方法および装置に関する。
【背景技術】
【０００２】
分解すべきＬＣＤスクリーンは、実のところ、ＬＣＤ（液晶ディスプレイ）がスクリーンの正面に設けられ、ＬＣＤが画像を表示するための略長方形の正面と背面とを有しているＬＣＤスクリーンである。ＬＣＤスクリーンはフレームを有する。フレームは、四つの略直線のセグメントからなる内縁を有し、略長方形であり、ＬＣＤの正面でＬＣＤの側縁を覆い、ＬＣＤを越えて延びる。さらに、スクリーンの正面から観察すると、ＬＣＤスクリーンは、ＬＣＤの背面を照明するための背面照明（バックライティング）をＬＣＤの背後（これは、ＬＣＤの背後での横方向の配置を意味するものと理解される）に有している。背面照明はスクリーンハウジング内に配置され、一つまたは複数の冷陰極管を備えている。冷陰極管は、密閉されたガス充填内部空間を持つガラス管をそれぞれ有しており、ＬＣＤの背後で、またはＬＣＤの背面に沿って横方向にＬＣＤに対して隙間を有して延び、ホルダによってその長手方向端部が把持される。スクリーンの正面から観察すると、スクリーンハウジング内のＬＣＤの周りで、フレームの背後にＬＣＤの側面に沿って、ホルダが配置される。冷陰極管とＬＣＤの背面との間には、光の拡散装置が配置される場合もある。拡散装置は例えば拡散シート、拡散スクリーンまたは拡散プレートであり、一様な光分布を提供する。フレームとスクリーンハウジングとは別個の部品であってもよいが、それらがユニットを形成し、フレームがスクリーンハウジングの一部であってもよい。フレームとスクリーンハウジングが一体的に形成される可能性もある。ＬＣＤは一般に、複数の層、例えばガラスシート、液晶レイヤおよび偏光シートを備えている。
【０００３】
背面照明としての冷陰極管は、ＣＣＦＬ（冷陰極蛍光ランプ）、蛍光管、およびガス放電ランプによって知られている。これらは、長さに比較して薄いガラス管を備える。ガラス管はにはガスが充填され、その両端に電極が融合されている。ディスプレイ上で最も一様な光分布を達成するために、通常は複数の冷陰極管が互いに略平行に配置される。例えば、ＬＣＤの背後に複数の冷陰極管が、ＬＣＤの両側に沿って二つの冷陰極管が配置される。一つの冷陰極管がＬＣＤの一端にのみ設けられることもある。ＬＣＤの背面への冷陰極管の直接配置では、所望の一様な光分布を達成することはできないが、隙間は最小になる。
【０００４】
冷陰極管は、汚染物質、特に水銀を含む。したがって、ＬＣＤ、冷陰極管、および冷陰極管を背面照明として用いるＬＣＤスクリーンの除去を規定する法的規制が存在する。
【０００５】
したがって、水銀を含む冷陰極管をＬＣＤスクリーンから分離し、汚染物質を含む廃棄物の量を著しく削減することができる方法および装置が望まれている。この問題は、スクリーンハウジング内に配置されている冷陰極管へのアクセスの問題である。そうするために、従来の分解では、最初にスクリーンハウジングを取り除き、続いて、ＬＣＤスクリーンのほとんど全体を通って延びる冷陰極管にアクセス可能となるまで多数の内部部品を分解する必要がある。これは骨の折れる過程であり、多数の個々の作業ステップのために、冷陰極管を破壊して水銀が無制御状態で漏れてしまう恐れを引き起こしている。
【０００６】
DE 10 2009 020 690 A1は、ＬＣＤスクリーンを分解する方法および装置を開示する。ＬＣＤスクリーンが作業台に供給されその上に据え付けられ固定される。切断装置を用いて、ＬＣＤスクリーンのハウジングの一側部が取り除かれ、これによって、背面照明を取り出すためのアクセスが確立される。しかしながら、一側部のみから冷陰極管を引き出すと、冷陰極管を破壊する恐れが生じ、特にサイズが大きく管が多い場合には水銀が漏れる恐れが生じる。したがって、この方法は、最初に述べたＬＣＤスクリーンのあらゆるタイプに適しているとは言えない。むしろ、この方法は、「デュアルチューブシステム」形態の背面照明を有する、最大で１７インチまでのサイズに特に適している。
【０００７】
DE 10 2009 020 751 A1は、ＬＣＤスクリーンを分解する別の方法および別の装置を開示する。ＬＣＤスクリーンが作業台上に据え付けられ固定される。固定装置を用いて、上下に積層するＬＣＤのレイヤが固定され、その後、分離装置を用いて分離される。続いて、除去・破壊装置、具体的には真空排気装置により、露出した背面照明が取り除かれ、適切なフィルタシステムによって排気が浄化される。しかしながら、この方法は、最初に述べたＬＣＤスクリーンのあらゆるタイプに適しているとは言えない。むしろ、この方法は、「マルチチューブシステム」形態の背面照明を有する、１７インチを超えるサイズに特に適している。
【発明の概要】
【発明が解決しようとする課題】
【０００８】
本発明は、ＬＣＤスクリーンを分解する新規な方法および装置を提供するという目的に基づいている。具体的には、本方法および装置は、ガラス管のガス含有空間が開放して例えば水銀などの管内容物が漏れることなく、できるだけ多くのサイズのＬＣＤスクリーンおよびＬＣＤスクリーンのチューブシステムに使用可能な冷陰極管の除去を目的としている。好ましくは、１７インチを越える大きなサイズの場合であっても、冷陰極管の完全性を破壊しないこのような除去が可能となることを目的としている。
【課題を解決するための手段】
【０００９】
請求項１の特徴および請求項７の特徴による方法、並びに請求項１２の特徴による装置に関して、この目的が達成される。有利な改良形態および発展形態は、それぞれの従属項で与えられている。
【００１０】
本発明に係るＬＣＤスクリーンの分解方法の第１変形例は、スクリーンの正面から、フレーム内縁の四つのセグメントに沿って四つの切り込みをＬＣＤ内に作成し、それぞれの切り込みがスクリーンの正面全体にわたりＬＣＤを越えて延び、深さの点では切り込みがＬＣＤを完全に貫通するが、冷陰極管には接触せず、そのため冷陰極管を破壊しないことを特徴とする。この方法の場合、最初に述べたＬＣＤの背面からの、冷陰極管のタイプに依存する最小の隙間を利用する。この最小隙間により、切り込みを作成するときに、冷陰極管を損傷することなく切り込みがＬＣＤを貫通することが可能になる。この方法ステップは、深さの点で切り込みがＬＣＤスクリーンを貫通する場合でさえ、背後に冷陰極管が配置されていないＬＣＤの領域では、冷陰極管を有する領域よりも、切り込みが深く作成されるという可能性を除外していない。例えば、冷陰極管と平行であるが横方向にオフセットされた切り込みが、その全長にわたり、深さの点でＬＣＤスクリーンを貫通していてもよい。
【００１１】
この方法は、ＬＣＤの切り抜き部が取り除かれる点でさらに特徴付けられる。これはユニットとして行われてもよいが、ＬＣＤの個々のレイヤまたはＬＣＤの複数の相互接続されたレイヤが段階的に取り除かれることも同様に可能である。
【００１２】
さらに、本方法は、それぞれのホルダから冷陰極管を取り外し、冷陰極管のガラス管の密閉されたガス充填内部空間を開放することなく冷陰極管を除去することを想定している。この結果、気体、具体的には汚染物質、特に水銀が冷陰極管から漏れることがない。密閉されたままの冷陰極管を、除去後に適切な処分装置や回収過程に送ることができる。
【００１３】
したがって、本発明の利点は、冷陰極管の少なくとも大部分を非破壊的に取り除き、水銀や場合により他の汚染物質の漏出を防止することにある。本方法は、任意の所望のサイズのＬＣＤスクリーンに使用することができ、したがって複数の冷陰極管を用いる大型のスクリーンにも適している。本発明のさらなる利点は、ハウジングを経由する従来の分解法と比較して、作業ステップの回数が少ないことである。本方法は、多数の冷陰極管を有する大型のＬＣＤスクリーンの場合でも、従来の分解法と比較して迅速に実行することができ、したがって低コストである。ＬＣＤが最大限に除去されるおかげで、冷陰極管へのアクセス性がその全長にわたって良好である結果、二つ以上の適切な位置、具体的にはホルダの近くで冷陰極管を把持することができるので、冷陰極管を迅速に除去できるのみならず、特に安全に除去することができる。さらに、冷陰極管の両端にあるホルダに容易にアクセスすることができ、必要に応じて支障なくホルダを取り外すことができる。
【００１４】
本発明に係る方法の発展形態は、それぞれのホルダから冷陰極管を取り外す前に、スクリーンの正面側で冷陰極管のホルダを覆うフレームの少なくとも一部を、場合によっては破壊的な方法で取り除いたり折り畳んだりすることができるので、スクリーンの正面から冷陰極管のホルダにアクセスできるようになる。
【００１５】
例えば拡散シート、拡散スクリーンまたは拡散プレートである拡散装置が、ＬＣＤの背面と背面照明との間に配置されている場合、本方法は、切り込みが拡散装置を完全に貫通し、拡散装置の切り抜き部が除去される、実装的な変形例を提供する。結果として、この場合でも冷陰極管へのアクセス性が確保される。
【００１６】
一発展形態によると、フレームの領域、少なくともセグメントでは、ＬＣＤの領域よりも、切り込みが深く形成される。具体的には、スクリーンの正面から観察すると、フレームの領域内、少なくともセグメント内では切り込みがＬＣＤスクリーンを貫通してもよい。これにより、スクリーンの正面側からのホルダへのアクセス性を確保するために、冷陰極管のホルダを覆うフレームの部分と、その下方にある部品とを、何の問題もなく取り除き折り畳むことができる。
【００１７】
一実施形態では、深さの点で、切り込みがＬＣＤの領域内でＬＣＤスクリーンを完全には貫通せず、冷陰極管が配置されている、スクリーンの正面と平行な平面の手前で終了する。さらに、この実施形態では、ＬＣＤの切り抜き部の除去後、およびホルダからの冷陰極管の取り外し後に、冷陰極管のガラス管の密閉されたガス充填内部空間を開放することなく、残りのＬＣＤスクリーンから冷陰極管を取り出すことができる。
【００１８】
さらなる実施形態は、冷陰極管、または冷陰極管のうち少なくとも一つが、フレーム内縁の四つのセグメントのうち一つと平行に延びており、このセグメントに隣接するフレームの部分の下方に配置されることに基づき、このセグメントに沿った切り込みが、スクリーンの正面全体にわたって、この冷陰極管と平行にＬＣＤスクリーンの全体を貫通し、この冷陰極管を破壊することなく、この冷陰極管を含むスクリーンの縁が分離される。冷陰極管がホルダから取り外され、冷陰極管のガラス管の密閉されたガス充填内部空間を開放することなく、スクリーンの切り抜かれた縁から冷陰極管が取り出される。
例えば、フレームの両端部に二つの冷陰極管を割り当て、フレームのこれらの部分の下方で互いに平行に冷陰極管を配置してもよい。場合によっては、ＬＣＤの一側部でフレームの割り当てられた部分の下方にのみ冷陰極管が設けられてもよい。ＬＣＤの背後に別の冷陰極管が配置されない場合は、エッジライト型ＬＣＤスクリーンとも呼ぶ。
【００１９】
ＬＣＤスクリーンを分解する本発明に係る方法の第２変形例は、最初に定義したＬＣＤスクリーンに加えて、冷陰極管、または冷陰極管のうち少なくとも一つが、フレーム内縁の四つのセグメントのうち一つと平行に延びており、このセグメントに隣接するフレームの部分の下方に配置されることに基づく。例えば、フレームの両端部に二つの冷陰極管を割り当て、フレームのこれらの部分の下方で互いに平行に冷陰極管を配置してもよい。場合によっては、ＬＣＤの一側部でフレームの割り当てられた部分の下方にのみ冷陰極管が設けられてもよい。ＬＣＤの背後に別の冷陰極管が配置されない場合は、エッジライト型ＬＣＤスクリーンとも呼ぶ。
【００２０】
この第２変形例に係る方法は、スクリーンの正面から、フレーム内縁の上述したセグメントに沿ってＬＣＤ内に切り込みが作成され、上述の冷陰極管と平行なセグメントに沿って切り込みが延びてスクリーンの正面全体にわたってＬＣＤを通過し、スクリーンの正面全体を越えてＬＣＤスクリーン全体を貫通し、冷陰極管を含むスクリーンの縁が、冷陰極管を破壊することなく分離されるという点で特徴付けられる。ホルダから冷陰極管が取り外され、冷陰極管のガラス管の密閉されたガス充填内部空間を開放することなく、スクリーンの切り抜かれた縁から冷陰極管が取り出される。
【００２１】
ここでも、利点は、冷陰極管の少なくとも大部分を非破壊的に除去し、水銀や場合により他の汚染物質の漏出を防止することにある。
【００２２】
以下の説明は、本方法の上述した実施形態すべての発展形態である。
【００２３】
原理上は、任意の所望の方法で切り込みを作成することができる。例えば、レーザ切断、サンドブラストまたはウォータージェットによる切断を用いたり、または熱的方法を使用してもよい。好適な変形例は、鋸、切断、ミリング、研削、ドリルまたは他の分離方法などの機械的方法である。これらの機械的方法は切断装置を用いて実行することができるので、本発明の一変形例は、切断装置を用いた切り込みの作成を想定している。切断装置は、例えば回転分離ディスク、具体的には鋸ディスク、切断ディスク、研削ディスクまたはミリングディスクを備えてもよく、各切り込みを作成するためにディスクが略直線状にかつスクリーンの正面に関して平行に移動される。
【００２４】
本方法の実装的な変形例では、ＬＣＤスクリーンが作業台に配置され固定される。さらに、切断装置と、ＬＣＤスクリーンがその上に固定された作業台とが互いに対して移動され、切り込みを作成する。
【００２５】
一発展形態は、作業台に対する位置、ＬＣＤスクリーンのフレーム内縁の四つの略直線セグメントのうち少なくとも一つの長さ、および検出され決定された各セグメントの二つの延長部上のフレームの幅を、例えば光学的方法を用いて提供する。このデータを使用して、少なくとも一つの決定されたセグメントに沿って、フレームの隣接部分を通る少なくとも一つの切り込みを作成するために必要な、切断装置の動きが計算され実行される。
【００２６】
ＬＣＤスクリーンを分解する本発明に係る装置は、切断装置によって特徴付けられる。フレーム内縁の一つまたは複数のセグメントに沿ってまたは四つのセグメント全てに沿って、切断装置を用いてＬＣＤ内に切り込みを作成することができるように、より具体的には、それぞれの切り込みがスクリーンの正面全体にわたってＬＣＤを越えて延び、深さの点ではＬＣＤを完全に貫通するが、冷陰極管には接触せず、そのため冷陰極管を破壊しないように、切断装置が設計される。これは、深さの点で切り込みがＬＣＤスクリーンを貫通する場合でさえ、背後に冷陰極管が配置されていないＬＣＤの領域では、冷陰極管を有する領域よりも、切り込みが深く作成されるという可能性を除外していない。例えば、冷陰極管と平行であるが横方向にオフセットされた切り込みが、その全長にわたり、深さの点でＬＣＤスクリーンを貫通していてもよい。
【００２７】
本装置は、上述した本発明に係るＬＣＤスクリーンの分解方法の任意の所望の変形例にしたがって動作することが好ましい。
【００２８】
本装置の一実施形態によると、深さの点で、切り込みがＬＣＤの領域内でＬＣＤスクリーンを完全には貫通せず、冷陰極管が配置されているスクリーンの正面と平行な平面の手前で終了するように、切断装置が設計される。
【００２９】
さらなる実施形態によると、冷陰極管、または冷陰極管のうち少なくとも一つが、フレーム内縁の四つのセグメントのうちの一つと平行に延びており、このセグメントに隣接するフレームの部分の下方に配置されることに基づき、スクリーンの正面全体にわたって、この冷陰極管と平行にＬＣＤスクリーンの全体を貫通するように、このセグメントに沿って切り込みを作成することができ、この冷陰極管を破壊することなく、この冷陰極管を含むスクリーンの縁を分離することができる。
【００３０】
上述した全ての装置の発展形態によると、切断装置は、切り込み深さを設定または制御する装置を有している。
【００３１】
本装置の一実施形態は、回転分離ディスク、具体的には鋸ディスク、切断ディスク、研削ディスクまたはミリングディスクを備える切断装置を提供する。金属、プラスチックおよびガラスを切断するように設計された分離ディスクが好ましい。
【００３２】
一発展形態では、本装置は、ＬＣＤスクリーンを位置決めし固定する目的で設計された作業台を備えている。切断装置と、ＬＣＤスクリーンがその上に固定された作業体とが互いに対して移動して、切り込みを作成する。ＬＣＤスクリーンは作業台上に配置されてもよいが、ＬＣＤスクリーンが下方からまたは側方から作業台に固定されるように作業台を設計することも可能である。したがって、切断装置が上方から接触せず、下方または側方から接触して切り込みを形成することができる。
【００３３】
さらに、例えば光学検出装置である検出装置を設けることができる。検出装置を用いて、作業台に対する位置、ＬＣＤスクリーンのフレーム内縁の四つの略直線セグメントのうち少なくとも一つの長さ、および検出された各セグメントの二つの延長部上のフレームの幅を決定することができる。オープンループおよび／またはクローズドループの制御ユニットをさらに設けると都合がよい。制御ユニットを用いて、このデータを使用すると、少なくとも一つの決定されたセグメントに沿って、フレームの隣接部分を通る少なくとも一つの切り込みを作成するために必要な、切断装置の動きを計算し実行することができる。
【００３４】
本装置の立体配置変形例は、除去装置を備える。除去装置を用いて、切断装置によって切り抜かれたＬＣＤの部分を、ＬＣＤスクリーンから例えば一ユニットとして取り除くことができるが、個々のレイヤまたは複数の相互接続されたレイヤを段階的に取り出すこともできる。
【００３５】
さらなる代替的なまたは付加的な立体配置変形例は、スクリーンの正面側で冷陰極管のホルダを覆うフレームの少なくとも一部を、場合によっては破壊的な方法で取り除きまたは折り畳んで、スクリーンの正面から冷陰極管のホルダにアクセスできるようにする装置を提供する。
【００３６】
把持装置を備えることも可能である。把持装置を用いてそれぞれのホルダから冷陰極管を取り外し、冷陰極管のガラス管の密閉されたガス充填内部空間を開放することなく、とりわけ水銀を放出することなく、冷陰極管を取り出すことができる。
【００３７】
さらに、供給装置を設けてもよい。供給装置を用いて、ＬＣＤスクリーンを切断装置に自動的に供給することができる。
【００３８】
例示的な実施形態の説明に基づき、添付の模式図を参照して、さらなる特徴および利点に関して、本発明を以下でより詳細に説明する。
【図面の簡単な説明】
【００３９】
【図１】本発明に係る方法の第１変形例にしたがって、または本発明に係る装置の立体配置変形例を用いて切り込みが作成された、ＬＣＤスクリーンのスクリーン正面側の平面図である。
【図２】図１内の線II−IIに沿ったＬＣＤスクリーンの断面図である。
【図３】図１内の線III−IIIに沿ったＬＣＤスクリーンの断面図である。
【図４】本発明に係る装置の立体配置的変形例の模式図であり、これを用いて本発明に係る方法の変形例を実行することができる。
【図５】本発明に係る方法の第２変形例にしたがって、または本発明に係る装置の立体配置変形例を用いて切り込みが作成された、代替的ＬＣＤスクリーンのスクリーン正面側の平面図である。
【発明を実施するための形態】
【００４０】
図面に示される実施形態、および実装的なまたは立体配置的な変形例の互いに対応する部分および部品には、同一の参照番号が付されている。
【００４１】
図１ないし３は、ＬＣＤスクリーン１の基本構造の様々な模式図である。ＬＣＤスクリーン１は、上述した本発明に係る方法の第１変形例によって、および例えば図４に示す本発明に係る装置１６の立体配置変形例によって、分解される。
【００４２】
ＬＣＤスクリーン１のＬＣＤ３は、スクリーン２の正面側に設けられ、画像を表示するための長方形の正面４と、背面５とを有する。ＬＣＤスクリーン１はフレーム６も有する。フレーム６は、四つの直線セグメントからなる長方形の内縁７を有する。フレーム６は、ＬＣＤ３の正面４でＬＣＤ３の側縁を覆い、ＬＣＤ３を越えて横方向に延びる。
【００４３】
スクリーン２の正面から観察すると、ＬＣＤスクリーン１は、ＬＣＤ３の背面５を照明するための背面照明（バックライティング）８をＬＣＤ３の裏側に有している。背面照明８はスクリーンハウジング９上に配置される。背面照明８は、複数の冷陰極管１０を備えている。冷陰極管１０は、実際には図１では見ることができないので点線によって示されており、それぞれ密閉されたガス充填内部空間を有している。冷陰極管１０は互いに平行に延び、ＬＣＤ３の背面５の全体にわたりＬＣＤ３に対して隙間を有している。冷陰極管１０は、ＬＣＤ３の横方向である長手方向の両端でホルダ１１によって保持されている。スクリーン２の正面から観察すると、ホルダ１１は、スクリーンハウジング９内のＬＣＤ３の周りで、フレーム６の背後にＬＣＤ３の側面に沿って配置されている。図２および図３から、例えば拡散シート、拡散スクリーンまたは拡散プレートである拡散デバイス１２が、ＬＣＤ３の背面５と背面照明８との間に配置されていることが分かるが、これは必ずしも存在していなくてもよい。
【００４４】
スクリーン２の正面から観察すると、図１ないし３では、フレーム６の内縁７の四つの直線セグメントに沿って四つの直線切り込み１３がＬＣＤ３に作成されており、直線切り込み１３はそれぞれスクリーン２の正面全体にわたりＬＣＤ３を越えて延びていることが分かる。図２および図３には、分離ディスク１５が模式的に示されている。分離ディスク１５を用いて切り込み１３が作成される。切り込みディスク１５は、切り込みの深さを設定または制御するために装置２１に割り当てられる。図２および図３から、点線で示されている切り込み１４の深さをはっきりと理解することができる。切り込み深さの点で、切り込み１３はＬＣＤ３および拡散デバイス１２を貫通するが、ＬＣＤ３の背面５に対して隙間を持って配置されている冷陰極管１０には到達せず、そのため冷陰極管１０は損傷を受けない。しかしながら、これらの切り込みは背後に冷陰極管１０が配置されていないＬＣＤ３の領域に作成され、冷陰極管１０に切り込みが届かず損傷を与えないような切り込みを作成する場合もあるので、冷陰極管１０の配置方向と平行な切り込みを図示よりも深くする可能性は十分にあることを、図１および図２は示している。場合によると、冷陰極管１０の配置方向と平行であるこれらの切り込みが、深さの点では、ＬＣＤスクリーン１の全長またはその一部を通り越すこともあり得る。
【００４５】
ＬＣＤ３の切り抜き部を除去し、フレーム６を除去または折り畳んだ後で、スクリーン２の正面側から冷陰極管１０のホルダ１１にアクセスできることが、図１ないし３から明らかである。これによって、冷陰極管１０をそれぞれのホルダ１１から取り外し、冷陰極管１０のガラス管の密閉されたガス充填内部空間を開放することなく、ＬＣＤスクリーン１から冷陰極管１０を取り出すことが可能になる。
【００４６】
図４は、例えば図１ないし３に示したＬＣＤスクリーン１を分解するための、本発明に係る装置１６の立体配置変形例を模式的に示す図である。
【００４７】
例えばコンベアまたはベルトである供給装置１７を用いて自動的に、割り当てられた切断装置１９を有する作業台１８に、分解対象のＬＣＤスクリーン１が供給される。作業台１８は、ＬＣＤスクリーン１を位置決めし固定する目的で設計されている。作業台１８は、所望の方法で空間的に配置することができる。すなわち、ＬＣＤスクリーンを垂直に向けて、ＬＣＤスクリーンに対し上方からだけでなく例えば側方から作業することもできるし、または、ＬＣＤスクリーンを下向きにして下から作業することもできる。切断装置１９と、ＬＣＤスクリーン１が固定された作業台１８とは、切り込み１３を作成するために互いに関して移動可能にされる。これは、移動方向矢印２０で示す、切断装置１９の移動の可能性によって表されている模式的な例で理解される。切断装置１９を空間内で三次元的に（図示の水平移動方向および垂直移動方向だけでなく、図の平面と直交する移動も可能である）移動させ、垂直軸周りに回転させることができる。これによって、ＬＣＤスクリーン１の、切断装置１９と対面するスクリーン２の正面から、フレーム６の内縁７の四つの直線セグメントに沿って、切断装置１９がＬＣＤ３に所望の四つの切り込み１３を作成することが可能になる。
【００４８】
装置１６は、例えば光学検出装置２２である検出装置２２を有することが図４から分かる。検出装置２２を用いて、作業台１８に対する位置、ＬＣＤスクリーン１のフレーム６の内縁７の四つの略直線セグメントのうち少なくとも一つの長さ、並びに、検出された各セグメントの二つの延長部上のフレーム６の幅を決定することができる。例えばＬＣＤ３および／またはＬＣＤスクリーン１の三つのコーナー点を測定することによって、このために必要なＬＣＤスクリーンの空間配置についての明確な説明を理解することができる。さらに、オープンループおよび／またはクローズドループの制御ユニット２３が設けられる。制御ユニットを用いて、このデータを使用して、少なくとも一つの決定されたセグメントに沿って、フレームの隣接部分を通る少なくとも一つの切り込み１３を作成するために必要な、切断装置の動きを計算し実行することができる。この目的のために、オープンループおよび／またはクローズドループの制御ユニット２３が、電気接続２４を介して、検出装置２２および切断装置１９の両方に接続される。
【００４９】
切断装置１９を用いて切り込み１３を作成した後、運搬システムを用いてまたは手動でＬＣＤスクリーン１が除去装置２５に供給される。除去装置２５を用いて、切断装置１９によって切り抜かれたＬＣＤ３の一部を、ＬＣＤスクリーン１から取り除くことができる。しかしながら、ＬＣＤスクリーン１からのＬＣＤ３の切り抜き部の除去は、例えば単にＬＣＤスクリーン１を回転させて切り抜き部を下方に落とすことによって実行してもよい。続いて、図４にコンベアまたはベルトによって模式的に示している運搬システム２６を用いて、ＬＣＤスクリーン１が装置２７に供給される。この装置２７を用いて、スクリーン２の正面側で冷陰極管１０のホルダ１１を覆っているフレーム６の少なくとも一部を取り外したりまたは折り畳むことができる。この結果、スクリーン２の正面から、冷陰極管１０のホルダ１１にアクセスすることができるようになる。これは、折り畳まれたフレーム部２８によって、図４に模式的に示されている。続いて、残りのＬＣＤスクリーン１が把持装置２９に供給される。把持装置２９を用いて、冷陰極管１０をそれぞれのホルダ１１から取り外し、冷陰極管１０のガラス管の密閉されたガス充填内部空間を開放することなく、ＬＣＤスクリーン１から冷陰極管１０を取り除くことができる。
【００５０】
図５は、上述した本発明に係る方法の第２変形例によって、および本発明に係る装置の立体配置変形例によって分解される、ＬＣＤスクリーン１の基本構造を示す。図５に示すＬＣＤスクリーン１の基本的な構造は、図１ないし図３に示したＬＣＤスクリーン１に対応しているので、相違点のみを以下で説明する。
【００５１】
ここでも、スクリーン２の正面から観察すると、ＬＣＤスクリーン１は、ＬＣＤ３の背面５（図５には示されていないが、図２および図３と同様に設けられる）を照明する背面照明８をＬＣＤ３の背後に有している。背面照明８は、図５には示されていないが図２および図３には示されているスクリーンハウジング９と同様に設けられるスクリーンハウジング内に配置される。図１のように、背面照明８は、図５では実際には見ることができない。したがって、背面照明８の冷陰極管１０は点線によって示されている。図１に示したＬＣＤスクリーン１との相違点として、図５に示すＬＣＤスクリーン１は、互いに平行に延びる二つの冷陰極管１０のみを有している。より具体的には、スクリーン２の正面から観察すると、ＬＣＤの背面に沿って横方向に、ＬＣＤの背面に対してそれぞれ隙間を有している。二つの冷陰極管１０はそれぞれ、フレーム６の内縁７の二つの相対する部分と平行に延び、この部分に隣接するフレーム６の部分の下方にそれぞれ配置される。冷陰極管１０は両方とも、ＬＣＤ３の横方向の二つの軸方向端部で、ホルダ１１によって保持される。
【００５２】
図５では、スクリーン２の正面から見て、フレーム６の内縁７の二つの上述した対向する部分に沿って二つの直線切り込み１３ａがＬＣＤ３内に作成されており、それぞれの切り込みは、スクリーン２の正面全体にわたりＬＣＤ３を越えて延びている。深さの点で、これらの切り込み１３ａはスクリーン２の正面の全体を越えてＬＣＤスクリーン１の全体を貫通しているので、これらの切り込み１３ａを作成すると、スクリーン３０の縁がそれぞれ分離される。スクリーン３０のこれら二つの分離された縁はそれぞれ、上述した二つの冷陰極管１０のうちの一方を、非破壊の状態で含んでいる。続いて、冷陰極管１０をそれぞれのホルダ１１から取り外し、冷陰極管１０のガラス管の密閉されたガス充填内部空間を開放することなく、スクリーン３０の切断された縁から冷陰極管１０を取り出すことができる。
【符号の説明】
【００５３】
１  ＬＣＤスクリーン、  ２  スクリーンの正面、  ３  ＬＣＤ、  ４  ＬＣＤ３の正面、  ５  ＬＣＤ３の背面、  ６  フレーム、  ７  フレーム６の内縁、  ８  背面照明、  ９  スクリーンハウジング、  １０  冷陰極管、  １１  ホルダ、  １２  拡散装置、  １３  切り込み、  １３ａ  貫通切り込み、  １４  切り込み深さ、  １５  分離ディスク、  １６  ＬＣＤスクリーン１を分解する装置、  １７  供給装置、  １８  作業台、  １９  切断装置、  ２０  移動方向矢印、  ２１  切り込み深さを設定または制御する装置、  ２２  検出装置、  ２３  オープンループおよび／またはクローズドループ制御ユニット、  ２４  電気接続、  ２５  除去装置、  ２６  運搬システム、  ２７  フレームを除去する装置またはフレームを折り畳む装置、  ２８  フレーム部、  ２９  把持装置、  ３０  スクリーンの縁。
【図１】
2013250557.tif 000003
【図２】
2013250557.tif 000004
【図３】
2013250557.tif 000005
【図４】
2013250557.tif 000006
【図５】
2013250557.tif 000007
【外国語明細書】
2013250557000001.pdf